【手続補正書】
【提出日】平成16年11月9日(2004.11.9)
【手続補正１】
【補正対象書類名】明細書
【補正対象項目名】特許請求の範囲
【補正方法】変更
【補正の内容】
【特許請求の範囲】
【請求項１】
陽極並びに陰極及び電解液を含む電気化学的活物質を含むための容器（can）であって、開放端部、端壁を有する閉鎖端部、及び前記開放端部と閉鎖端部との間に伸びる側壁を有する前記容器と；
前記開放端部に配置された第一のカバー（cover）と、
前記端壁に形成された圧力除去機構と、
前記端壁と電気的に接続され、前記圧力除去機構の上に延在するよう前記端壁に配置された第二のカバーと、
を具備する電気化学的電池。
【請求項２】
前記端壁は、前記容器の前記側壁と一体的に形成されたものである、請求項１に記載の電気化学的電池。
【請求項３】
前記容器は管として形成され、前記端壁は、前記閉鎖端部に固定されたカバーとなっている、請求項１に記載の電気化学的電池。
【請求項４】
前記圧力除去機構は、前記容器の前記端壁の表面を鋳造することによって形成したものである、請求項１乃至３のうちいずれか一項に記載の電気化学的電池。
【請求項５】
前記圧力除去機構は、破裂時に、前記容器の前記端壁から旋回するヒンジ部分を含んでいる、請求項１乃至４のうちいずれか一項に記載の電気化学的電池。
【請求項６】
前記圧力除去機構は、前記容器の前記端壁の表面に形成された弧状の溝を含むことを特徴とする、請求項１乃至５のいずれか一項に記載の電気化学的電池。
【請求項７】
前記弧状の溝は、３００度の部分円（partial circle）として形成されたものである、請求項６に記載の電気化学的電池。
【請求項８】
前記第二のカバーは、中心に配置された接触端子突出部を含み、前記圧力除去機構は、前記突出部の下にある区域における前記容器の前記端壁に形成されている、請求項１乃至７のうちいずれか一項に記載の電気化学的電池。
【請求項９】
前記第二のカバーは、陽極の外部バッテリ端子として機能するよう前記陽電極に電気的結合しており、前記第一のカバーは、陰極の外部バッテリ端子として機能するよう前記陰電極に電気的結合している、請求項１乃至８のうちいずれか一項に記載の電気化学的電池。
【請求項１０】
前記容器を前記第一のカバーから電気的に絶縁するために、前記容器と前記第一のカバーとの間に絶縁体を配置した、請求項１乃至９のうちいずれか一項に記載の電気化学的電池。
【請求項１１】
前記絶縁体は、前記容器及び前記第一のカバーの少なくとも一つに配置された絶縁物質の被覆物である、請求項１０に記載の電気化学的電池。
【請求項１２】
前記電池は、円筒形電池である、請求項１乃至１１のうちいずれか一項に記載の電気化学的電池。
【請求項１３】
開放端部及び閉鎖端部を有する容器を形成し、
前記容器の閉鎖端部に圧力除去機構を形成し、
前記圧力除去機構を覆うように、前記閉鎖端部に第二のカバーを取り付け、
前記容器に電気化学的活物質を与え、そして
前記容器の前記開放端部を第一のカバーで密閉する、
というステップを具備する、電気化学的電池を作製する方法。
【請求項１４】
前記密閉するステップは、前記容器と前記第一のカバーとの間に電気的絶縁の層を供給することを含んでいる、請求項１３に記載の方法。
【請求項１５】
前記容器を形成する前記ステップは、前記容器の側壁を規定する管を形成するサブステップ、及び、前記容器の前記閉鎖端部に端壁を規定するために、前記管の開放端部にカバーを固定するサブステップを含む、請求項１３又は１４に記載の方法。
【請求項１６】
圧力除去機構を形成する前記ステップは溝を形成することを含んでいる、請求項１３乃至１５のうちいずれか一項に記載の方法。
【請求項１７】
前記溝は、モールディング（moulding）によって形成されるものである、請求項１６に記載の方法。
【手続補正２】
【補正対象書類名】明細書
【補正対象項目名】００１７
【補正方法】変更
【補正の内容】
【００１７】
従って、第一の特徴において、本発明は、
陽極並びに陰極及び電解液を含む電気化学的活物質を含むための容器（can）であって、開放端部、端壁を有する閉鎖端部、及び前記開放端部と閉鎖端部との間に伸びる側壁を有する前記容器と；
前記開放端部に配置された第一のカバー（cover）と、
前記端壁に形成された圧力除去機構と、
前記端壁と電気的に接続され、前記圧力除去機構の上に延在するよう前記端壁に配置された第二のカバーと、
を具備する電気化学的電池を提供する。
【手続補正３】
【補正対象書類名】明細書
【補正対象項目名】００１８
【補正方法】変更
【補正の内容】
【００１８】
第二の特徴において、本発明は、
開放端部及び閉鎖端部を有する容器を形成し、
前記容器の閉鎖端部に圧力除去機構を形成し、
前記圧力除去機構を覆うように、前記閉鎖端部に第二のカバーを取り付け、
前記容器に電気化学的活物質を与え、そして
前記容器の前記開放端部を第一のカバーで密閉する、
というステップを具備する、電気化学的電池を作製する方法を提供する。
【手続補正４】
【補正対象書類名】明細書
【補正対象項目名】００１９
【補正方法】変更
【補正の内容】
【００１９】
圧力除去機構は、前記容器の端壁に形成され、及び好ましくは、前記容器の端壁の表面に形成された弧状の溝を含む。第二のカバーは、それと電気的に接触するように、及び圧力除去機構の上へと伸びるように、前記容器の端壁上に配置される。前記電池は、好ましくは円筒形電池である。
【手続補正５】
【補正対象書類名】明細書
【補正対象項目名】００２０
【補正方法】変更
【補正の内容】
【００２０】
前記容器の端壁に圧力除去機構を設けることによって、顕著に輪郭が小さくなるという利点があり、それによって、電気化学的電池内において顕著に少ない空間を占めるコレクタ・アセンブリを用いることができるようになる。さらに、この配列によって、従来のアセンブリよりも、そのうちに低い蒸発散を示し、それによって前記電池の貯蔵寿命を増加させる電池構成を可能にしてもよい。本発明のさらなる効果は、利用可能な電池容量の多くのパーセンテージを占めない、信頼のおける圧力除去機構が供給されることである。さらに他の効果は、前記電池構成が、より少ない物質を製造及び要求し、それによっておそらくより低い製造コスト（cost）を有するために、より単純であってもよいことである。さらに、前記電池を十分に密閉するために、前記容器にかけられるべき放射状圧力がより少なく、それによって、より薄い壁を有する容器の使用を可能にし、それによってより大きい内部電池容量を結果として生むような電池構成が可能である。
【手続補正６】
【補正対象書類名】明細書
【補正対象項目名】００２２
【補正方法】変更
【補正の内容】
【００２２】
これは、内部圧力が過剰になる時に前記容器内から内部圧力を放出する圧力除去機構を、前記容器の閉鎖端部に形成することによって達成されうる。その結果、公知の複雑なコレクタ／シール・アセンブリは、より少ない容量を占め、より少ない部分を有するコレクタ・アセンブリに取って代わられる。このように、内部電池容量効率における顕著な改善が得られる。
【手続補正７】
【補正対象書類名】明細書
【補正対象項目名】００２４
【補正方法】変更
【補正の内容】
【００２４】
圧力除去機構は、破裂時に、電気化学物質がバッテリから外に向かって直接危険に吹き出さないようにするために、外部カバーの下に配置される。また、前記バッテリの陽極端子の端部が、他のバッテリの陰極端子に押し付けられるように、他のバッテリと連結するように使用される場合、圧力除去機構に外部カバーを設けることによって、前記機構は、陽極突出部の下で、外に向かって曲がり、最終的に破裂する。外部カバーが、そのような状況において存在しない場合、二つのバッテリ間の接触は、圧力除去機構が、破裂するのを防止する。さらに、圧力除去機構に外部カバーが設けられない場合、バッテリの陽極端部における圧力除去機構は、損害をより受けやすい。外部カバーはまた、周辺環境の腐食効果から圧力除去機構を保護し、それゆえに時期尚早な発散及び／又は漏れの可能性を低減させる。このように、圧力除去機構はバッテリ容器の閉鎖端部における外部カバーの下に形成される。外部カバーは、好ましくは、陽極の外部バッテリ端子として機能する。
【手続補正８】
【補正対象書類名】明細書
【補正対象項目名】００５３
【補正方法】変更
【補正の内容】
【００５３】
コレクタ・アセンブリが完全に組み立てられると、コレクタ・アセンブリは前記容器に接続され、開放端部は密閉して閉じられる。容器閉鎖は、好ましくは、二重シーム閉鎖を使用するが、他の適切な容器閉鎖技術が使用されてもよい。さらに、第二のカバーが、前記容器の閉鎖端部に接続され、圧力除去機構の上に重なる。